(57)【要約】【課題】  高い強度と耐火性能を有し、かつ意匠性に優れた木質成形体を提供する。【解決手段】  この木質成形体１は、所要の大きさの板状体からなる複数の木質材料２ａ，２ａ，・・・を、互いの長手方向における側面同士が接するように並設して複合板２を形成し、得た複合板２の複数を、長手方向が互いに直交するように順次積層接着してなるもので、前記木質材料２ａは、木材保護塗料で着色されているので、高い強度と耐火性能を有し、かつ意匠性に優れている。【選択図】      図１
2017196772.tif 000002
【特許請求の範囲】
【請求項１】
所要の大きさの板状体からなる複数の木質材料を、長手方向における側面同士が接するように並設固定して複合板を形成し、得た複合板の複数を、長手方向が互いに直交するように順次積層接着してなる木質成形体であって、
前記各木質材料は、着色されていること
を特徴とする木質成形体。
【請求項２】
前記木質材料は、
互いに色調の異なる着色がなされていること
を特徴とする請求項１に記載の木質成形体。
【請求項３】
前記木質材料は、
木材保護塗料によって着色されていること
を特徴とする請求項１又は２に記載の木質成形体。
【請求項４】
前記木質材料は、
着色成分を含む溶液に前記木質材料を入れて、含浸させて着色されていること
を特徴とする請求項１〜３のいずれかに記載の木質成形体。
【請求項５】
前記木質材料は、
その繊維方向が、長手方向に一致していること
を特徴とする請求項１〜４のいずれかに記載の木質成形体。
【請求項６】
前記木質成形体は、
構築物の内装用および／または外装用であること
を特徴とする請求項１〜５のいずれかに記載の木質成形体。
【発明の詳細な説明】
【技術分野】
【０００１】
この発明は、木質成形体に関するものである。
より具体的には、構築物の内装材および／または外装材として使用でき、高い強度と耐火性能を有し、かつ意匠性に優れた木質成形体に関するものである。
【背景技術】
【０００２】
従来、集積板として、クロスラミネイテッドティンバー（Ｃｒｏｓｓ  Ｌａｍｉｎａｔｅｄ  Ｔｉｍｂｅｒ；以下「ＣＬＴ」と言う。）が一般に知られている。
このＣＬＴは、板の繊維方向が交互に直交するようにして、かつ板の広幅面同士が接触するようにして複数の板が積層され、広幅面同士が相互に接着されてその全体が構成されたもので、高い強度と耐火性能を有するものである。
このような集積板の一例が、特許文献１に開示されている。
【０００３】
特開２０１６−２００７６号公報（特許文献１）においては、ＣＬＴのような集積板の耐荷性を向上させることのできるプレストレス導入集積板が提案されている。
【０００４】
この集積板は、板の繊維方向が交互に直交するようにして、かつ板の広幅面同士が接触するようにして複数の板が積層され、広幅面同士が相互に接着されてなる、二つの広幅面と四つの端面から構成される六面体の集積板であって、
少なくとも一組の対向する端面の間に複数の貫通孔が形成され、
それぞれの貫通孔に緊張材が配設され、
前記緊張材を介して、広幅面の面内の少なくとも一方向にプレストレスが導入されているものである。
【先行技術文献】
【特許文献】
【０００５】
【特許文献１】特開２０１６−２００７６号公報（特許請求の範囲，図１）
【発明の概要】
【発明が解決しようとする課題】
【０００６】
しかしながら、従来のＣＲＴや、前記特許文献１に記載の集積板などの集積板にあっては、そこで表現されている意匠が、木目を基調とするものであることから、より個性的な意匠性が求められる。
【０００７】
この発明はかかる現状に鑑み、高い強度と耐火性能を有し、かつ意匠性に優れた木質成形体を提供することを目的とするものである。
【課題を解決するための手段】
【０００８】
前記目的を達成するため、この発明にかかる請求項１に記載の木質成形体は、
所要の大きさの板状体からなる複数の木質材料を、長手方向における側面同士が接するように並設固定して複合板を形成し、得た複合板の複数を、長手方向が互いに直交するように順次積層接着してなる木質成形体であって、
前記各木質材料は、着色されていること
を特徴とするものである。
【０００９】
この発明の請求項２に記載の発明は、
請求項１に記載の木質成形体において、
前記木質材料は、
互いに色調の異なる着色がなされていること
を特徴とするものである。
【００１０】
この発明の請求項３に記載の発明は、
請求項１又は２に記載の木質成形体において、
前記木質材料は、
木材保護塗料によって着色されていること
を特徴とするものである。
【００１１】
この発明の請求項４に記載の発明は、
請求項１〜３のいずれかに記載の木質成形体において、
前記木質材料は、
着色成分を含む溶液に前記木質材料を入れて、含浸させて着色されていること
を特徴とするものである。
【００１２】
この発明の請求項５に記載の発明は、
請求項１〜４のいずれかに記載の木質成形体において、
前記木質材料は、
その繊維方向が、長手方向に一致していること
を特徴とするものである。
【００１３】
この発明の請求項６に記載の発明は、
請求項１〜５のいずれかに記載の木質成形体において、
前記木質成形体は、
構築物の内装用および／または外装用であること
を特徴とするものである。
【発明の効果】
【００１４】
この発明にかかる木質成形体は、所要の大きさの板状体からなる複数の木質材料を、互いの長手方向における側面同士が接するように並設して複合板を形成し、得た複合板の複数を、長手方向が互いに直交するように順次積層接着して構成されたものである。
かかる構成の木質成形体は、高い強度と耐火性能を有するものである。
【００１５】
前記木質成形体は、これを構成する木質材料が着色されているので、意匠性に極めて優れたものである。
特に、前記木質成形体において、各木質材料を、互いに色調の異なるように着色することによって、より意匠性を高めることが可能となる。
【００１６】
さらに、前記木質成形体においては、前記木質材料を木材保護塗料によって着色することで、防腐性能（耐腐食性）、防カビ性能、防虫効果を与えることが可能となる。
【００１７】
なお、前記着色の方法は、着色成分を含む溶液に前記木質材料を入れて含浸させる方法を採用することによって、前記木質材料の内部まで着色することが可能となる。
【００１８】
さらにまた、前記木質成形体においては、前記木質材料の繊維方向を、その長手方向に一致させることによって、その強度を、より高めることができる。
【００１９】
かかる木質成形体は、特に、構築物の内外装用の材料として利用できるものである。

【図面の簡単な説明】
【００２０】
【図１】この発明にかかる木質成形体の一例を示す説明図である。
【発明を実施するための形態】
【００２１】
以下、この発明にかかる木質成形体の実施の形態を、添付の図面に基づいて具体的に説明する。
なお、この発明の木質成形体は、図示の実施例に限定されるものではなく、発明の要旨を変更しない範囲内で改良を加えることができるものである。
【００２２】
この発明にかかる木質成形体１は、図１に示すように、複数の矩形状の木質材料２ａ，２ａ，・・・を、長手方向における側面同士が互いに接するように並設して形成した複合板２を、長手方向が互いに直交するように順次積層接着させて構成されている。
なお、図１においては、前記複合板２は、前記木質材料２ａを４枚並設して形成したものであるが、前記木質材料２ａの数に特に制限はない。
【００２３】
また、前記木質材料については、木材全般を使用することができ、特に制限されない。
例えば、スギ、ヒノキなどの木材が挙げられ、その厚さは、例えば０．５〜３０ｍｍ程度である。
【００２４】
この実施例において、前記木質材料２ａ，２ａ，・・・は、互いに接着剤を介して並設されているが、その並設手段については特に制限はなく、公知の手段を採用することができる。
【００２５】
さらに、この実施例において、前記複合板２は、前記木質材料２ａ，２ａ，・・・の繊維方向を、前記木質材料２ａの長手方向に一致するように構成されている。
このような構成にすることによって、前記複合板２を順次積層接着して得られる木質成形体１の強度を、より高めることが可能になる。
【００２６】
前記木質材料２ａは、所要の大きさの板状体からなるもので、木材保護塗料によって着色されたものである。
なお、図１において、各木質材料２ａ，２ａ，・・・には、互いに色調の異なる着色がなされている。
このように、前記木質材料２ａ，２ａ，・・・について、それぞれの色調を変えることによって、より美的外観に優れ、より高い意匠性を有するものとすることが可能となる。
【００２７】
前記木質材料への着色については、特に制限なく、行うことができる。
例えば、酸性染料、塩基性染料、直接染料などの染料系、にかわ、シェラック、アラビアガム、ポリビニルアルコール、ポリビニルピロリドンなどの顔料系、タンニン酸鉄、没食子酸鉄、タンニン酸・没食子酸鉄などのタンニン酸鉄系の着色成分などを使用して行うことができる。
これらの着色成分は、一種を単独で、あるいは二種以上を混合して使用することができる。
【００２８】
この実施例においては、前記着色成分として、高い防腐性、防カビ性、防虫効果を有する木材保護塗料が使用されている。
前記木材保護塗料は、防腐性、防カビ性、防虫効果などの保護効果を有するもので、含浸型や造膜型のいずれも使用可能である。
例えば、アクリル樹脂、ウレタン樹脂、不飽和ポリエステル樹脂、シリコーン樹脂、フッ素樹脂、エポキシ樹脂、フェノール樹脂、アルキド樹脂、アミノアルキド樹脂などの合成樹脂などが挙げられる。
この発明においては、含浸型の木材保護塗料を使用することが好ましい。
かかる木材保護塗料の一例として、キシラデコール（登録商標；大阪ガスケミカル製）を挙げることができる。
なお、前記木材保護塗料には、必要に応じて、前記着色成分などを添加してもよい。
【００２９】
前記着色成分の使用量については特に限定はなく、所望の色合いなどに応じて適宜設定すればよい。
【００３０】
前記木質材料を着色する方法については特に限定はなく、前記着色成分を前記木質材料に含ませる方法を適用することができる。
例えば、前記着色成分を含む溶液を前記木質材料に塗布する方法、前記着色成分を含む溶液に前記木質材料を入れて含浸させる方法などが挙げられる。
好ましくは、前記着色成分を含む溶液に前記木質材料を入れて含浸させる方法を選択する。
【００３１】
前記着色成分を含浸させる方法（含浸処理方法）については、特に制限はなく、減圧加圧法や拡散法などの公知の含浸処理方法を採用することができる。
前記含浸処理に際して、その程度は、目的に応じて適宜選択することができ、前記木質材料の表層部のみに含浸させてもよく、内部まででも、さらには木質材料全体であってもよい。
【００３２】
かかる構成の複合板２を、図１に示すように、長手方向が互いに直交するように順次積層接着していくことで、この発明の木質成形体１が形成される。
【００３３】
かかる木質成形体１を形成する方法の一例について、具体的に説明する。
まず、木質材料２ａとして、用途に合わせた厚さのスギ単板を、着色成分として所望の量の木材保護塗料を含む溶液に入れて浸漬し、減圧加圧法により木質材料２ａに着色成分を含浸させる。
【００３４】
前記得られた複数の木質材料２ａ，２ａ，・・・の長手方向における側面に接着剤を塗布し、これらの側面同士を相互に接着させて、複合板２を得る。
【００３５】
次に、前記得られた複合板２の上に、接着剤を介して、別途の複数の木質材料２ａ，２ａ，・・・の長手方向における側面同士を相互に接着させて得た複合板２を、長手方向が互いに直交するように載せる。
【００３６】
同様に、三段目の複合板２を形成し、これを二段目の複合板２の上に、長手方向が互いに直交するように載せて、木質成形体１が得られる。
【００３７】
なお、上記積層を所望の段数まで繰り返すことによって、所要の大きさの木質成形体１とすることができる。
【００３８】
かかる木質成形体１は、例えば、構築物の内外装材など、各種の材料として利用可能なものである。
【産業上の利用可能性】
【００３９】
この発明にかかる木質成形体は、構築物の内外装材として使用できるもので、高い強度と耐火性能を有し、かつ意匠性に優れたものである。
したがって、建築業界において幅広く利用されるものである。
【符号の説明】
【００４０】
１          木質成形体
２          複合板
２ａ        木質材料
【図１】
2017196772.tif 000003